(57)【要約】【課題】ＴＣＭ−ＩＳＤＮの場合に、メタル加入者線間での漏話による回線品質確保のため、ＴＣＭ（時分割方向制御伝送方式）切替タイミング情報（４００Ｈｚクロック）を伝送路とは別線による配線で分配される必要があり、配線ができないエリアへのＬＴ（伝送路終端装置）設置となる場合に、交換機局直接収容のＴＣＭ−ＩＳＤＮ回線および他ＬＴ収容のＴＣＭ−ＩＳＤＮ回線とのメタル線路を、干渉防止のために分離する必要があるという課題を解決する。【解決手段】交換機局側１１０とＬＴ側１２０間の下りフレーム中にＴＣＭ切替タイミング情報をマッピングし、距離測定フレーム発出検出を行うことで交換機局側１１０とＬＴがわ１２０間の伝搬遅延時間を測定し、この伝搬遅延時間分のＴＣＭ切替タイミング位相ズレをクロック（４００Ｈｚ）位相制御部１２９で補正する。これにより、交換機局側１１０のＴＣＭ切替タイミングとＬＴ側１２０のＴＣＭ切替タイミングを同一位相にする。【選択図】　　　図１
2004088394.tif 000002
【特許請求の範囲】
【請求項１】
位相同期タイミング情報を転送・検出する手段と、前記位相同期タイミング情報を異なる地点に設置された装置間での位相差を検出する手段と、前記位相差を制御して前記装置間の位相を一致させる手段とを備えることを特徴とするクロック情報転送システム。
【請求項２】
前記位相同期タイミング情報の転送を加入者伝送路と共有することを特徴とする請求項１に記載のクロック情報転送システム。
【請求項３】
それぞれ両端にドライバおよびレシーバを有する上り伝送路および下り伝送路で接続された交換機局側およびＬＴ（伝送路終端装置）側を備え、ＴＣＭ（時分割方向制御伝送）方式でのクロック情報転送システムにおいて、
前記交換機局側にクロック位相情報生成部と、下り送信位相制御部と、距離測定部と、前記クロック位相情報生成部からのクロック位相情報、前記下り送信位相制御部からの下り伝送路フレーム送信位相情報および前記距離測定部からの距離情報を多重化して前記下り伝送路のドライバに出力する多重部とを備え、前記距離測定部は、前記下り送信位相制御部からの下り伝送路フレーム送信位相情報と前記上り伝送路からの距離測定フレームを比較して、前記距離情報を得ると共に前記ＬＴ側に設けられたクロック位相制御部へ転送することを特徴とするクロック情報転送システム。
【請求項４】
前記ＬＴ側の前記クロック位相制御部には、それぞれ伝送路クロック抽出部、クロック情報抽出部および距離情報抽出部からの伝送路クロック、クロック位相情報および距離情報が入力されることを特徴とする請求項３に記載のクロック情報転送システム。
【請求項５】
前記下り伝送路のレシーバに下りフレーム同期検出部と、距離測定フレーム送出要求抽出部と、前記下りフレーム同期検出部からの下りフレーム位相および前記距離測定フレーム送出要求抽出部からの距離測定フレーム送出要求情報を入力し、前記上り伝送路のドライバに出力する距離測定フレーム生成部とを備えることを特徴とする請求項３又は４に記載のクロック情報転送システム。
【請求項６】
前記下り伝送路のレシーバおよび前記上り伝送路のドライバ間に接続された下りフレーム同期検出部と、上りフレーム生成部とを備えることを特徴とする請求項３又は４に記載のクロック情報転送システム。
【発明の詳細な説明】
【０００１】
【発明の属する技術分野】
本発明はクロック情報転送システムに関し、特にＴＴＣ（Ｔｅｌｅｃｏｍｍｕｎｉｃａｔｉｏｎ　Ｔｅｃｈｎｏｌｏｇｙ　Ｃｏｍｍｉｔｔｅｅ）標準Ｇ９６１を使用するＩＳＤＮ（Ｉｎｔｅｇｒａｔｅｄ　ＳｅｒｖｉｃｅｓＤｉｇｉｔａｌ　Ｎｅｔｗｏｒｋ）回線（ＴＣＭ−ＩＳＤＮ）サービスを提供するシステムにおけるメタル加入者線間の干渉抑制のためのクロック同期システムに関する。
【０００２】
【従来の技術】
一般にＩＳＤＮ回線の収容形態は、交換機局直接収容と、ＣＴ／ＲＴ方式（Ｃｅｎｔｒａｌ　Ｔｅｒｍｉｎａｌ／Ｒｅｍｏｔｅ　Ｔｅｒｍｉｎａｌ　Ｓｙｓｔｅｍ）やＦＴＴＣ（Ｆｉｂｅｒ−ｔｏ−ｔｈｅ−Ｃｕｒｂ）　等の遠隔収容とに分類される。遠隔収容の形態においてＣＴ／ＲＴ方式の場合には、ＤＣＳ（クロック分配装置）からＲＴ装置にＴＣＭ（Ｔｉｍｅ　Ｃｏｍｐｒｅｓｓｉｏｎ　Ｍｕｌｔｉｐｌｅｘ：時分割方向制御伝送方式）切替タイミング情報（４００Ｈｚ）が供給されている。
【０００３】
斯かる技術分野に関連する従来技術は、例えば特開平１１−３４１１５３号公報の「ディジタル加入者線伝送システム」に開示されている。この公報では、近接する伝送路上のピンポン伝送信号の位相を示す同期信号を対向する加入者側通信装置へ送出する同期手段を局側通信装置に備え、対向する装置における近接する伝送路のピンポン伝送信号からの漏話雑音の区間分布を検出する雑音レベル検出手段を局側通信装置および加入者側通信装置に備えるデジタル加入者線伝送システムを開示する。
【０００４】
図４は、ＰＤＳ（パッシブダブルスター）構成によるＦＴＴＣ方式の場合の従来のクロック情報転送システムのシステム構成図である。このシステムは、３個のＤＳＵ（Ｄｉｇｉｔａｌ　Ｓｅｒｖｉｃｅ　Ｕｎｉｔ）１１〜１３、ＬＴ（伝送路終端装置）１４、１５、ＳＬＴ１６、交換機１７およびＤＣＳ１８を備える。ＤＳＵ１１および交換機１７間は、Ｇ９６１メタル伝送路２１で接続される。また、ＤＳＵ１２−ＬＴ１４間およびＤＳＵ１３−ＬＴ１５間もそれぞれＧ９６１メタル伝送路２２、２３で接続されている。一方、ＬＴ１４−ＳＬＴ１６間およびＬＴ１５−ＳＬＴ１６間は、それぞれ光加入者線２４、２５により接続されている。ＳＬＴ１６の出力は交換機１７に接続されている。ＤＣＳ１８の出力は、ＳＬＴ１６および交換機１７に供給される。
【０００５】
図４に示す如く、メタル伝送路２１〜２３間には干渉がある。ＤＣＳ１８からＬＴ１４、１５へＴＣＭ切替タイミング情報は供給されない。図５は、図４に示すシステムのタイミングチャートである。図５（ａ）は、ＤＳＵ１１でのメタル加入者線上の信号を示す。図５（ｂ）は、ＤＳＵ１２でのメタル加入者線上の信号を示す。また、図５（ｃ）は、ＤＳＵ１３でのメタル加入者線上の信号を示す。ここで、ＤＣＳ１８−ＳＬＴ１６間の遅延を遅延１、ＳＬＴ１６内の遅延を遅延２、ＳＬＴ１６−ＬＴ１４間の遅延を遅延３１、ＳＬＴ１６−ＬＴ１５間の遅延を遅延３２およびＬＴ１４、ＬＴ１５内の遅延を遅延４とする。この場合には、図５に示す如く、ＤＳＵ１２での加入者線上の信号は、ＤＳＵ１１での加入者線上の信号に対して、Ｔ１＝遅延１＋遅延２＋遅延３１＋遅延４の遅延時間を有する。一方、ＤＳＵ１３での加入者線上の信号は、ＤＳＵ１１での加入者線上の信号に対してＴ２＝遅延１＋遅延２＋遅延３２＋遅延４の遅延時間を有する。従って、ＴＣＭ切替タイミングが一致せず干渉の影響を受けるため、他システムで収容されたＩＳＤＮ回線とは分離する必要があった。
【０００６】
【発明が解決しようとする課題】
上述の如き従来クロック情報転送システムでは、次のような課題を有する。第１に、余分な設備投資および保守コストがかかる。その理由は、ＴＣＭ−ＩＳＤＮの場合には、メタル加入者線間での漏話による回線品質確保のため、ＴＣＭ（時分割方向制御伝送方式）の切替タイミングを同時に行われる必要があり、切替タイミング情報（４００Ｈｚクロック）を伝送路とは別のルート配線で分配されているからである。
【０００７】
第２に、線路設計が複雑となる。その理由は、ＦＴＴＣ（Ｆｉｂｅｒ−　ｔｏ−　ｔｈｅ−Ｃｕｒｂ）やＦＴＴＢ（Ｆｉｂｅｒ−ｔｏ−ｔｈｅ−Ｂｕｉｌｄｉｎｇ）によるネットワーク構成により、上述した４００Ｈｚクロックを分配できないエリアへのＬＴ設置となる場合に、交換機局直接収容のＴＣＭ−ＩＳＤＮ回線および他ＬＴ収容のＴＣＭ−ＩＳＤＮ回線とのメタル線路を、干渉防止のために分離する必要があるためである。
【０００８】
【発明の目的】
本発明は、従来技術の上述した課題に鑑みなされたものであり、異なるシステムのＴＣＭ−ＩＳＤＮメタル回線間の干渉を防止するためのＴＣＭ切替タイミングクロック位相を、交換機局直接収容のクロック位相と同一とするために、伝送路以外の線路を使用することなく実現するクロック情報転送システムを提供することを目的とする。
【０００９】
【課題を解決するための手段】
前述の課題を解決するため、本発明によるクロック情報転送システムは、次のような特徴的な構成を採用している。
【００１０】
（１）位相同期タイミング情報を転送・検出する手段と、前記位相同期タイミング情報を異なる地点に設置された装置間での位相差を検出する手段と、前記位相差を制御して前記装置間の位相を一致させる手段とを備えるクロック情報転送システム。
【００１１】
（２）前記位相同期タイミング情報の転送を加入者伝送路と共有する上記（１）のクロック情報転送システム。
【００１２】
（３）それぞれ両端にドライバおよびレシーバを有する上り伝送路および下り伝送路で接続された交換機局側およびＬＴ（伝送路終端装置）側を備え、ＴＣＭ（時分割方向制御伝送）方式でのクロック情報転送システムにおいて、
前記交換機局側にクロック位相情報生成部と、下り送信位相制御部と、距離測定部と、前記クロック位相情報生成部からのクロック位相情報、前記下り送信位相制御部からの下り伝送路フレーム送信位相情報および前記距離測定部からの距離情報を多重化して前記下り伝送路のドライバに出力する多重部とを備え、前記距離測定部は、前記下り送信位相制御部からの下り伝送路フレーム送信位相情報と前記上り伝送路からの距離測定フレームを比較して、前記距離情報を得ると共に前記ＬＴ側に設けられたクロック位相制御部へ転送するクロック情報転送システム。
【００１３】
（４）前記ＬＴ側の前記クロック位相制御部には、それぞれ伝送路クロック抽出部、クロック情報抽出部および距離情報抽出部からの伝送路クロック、クロック位相情報および距離情報が入力される上記（３）のクロック情報転送システム。
【００１４】
（５）前記下り伝送路のレシーバに下りフレーム同期検出部と、距離測定フレーム送出要求抽出部と、前記下りフレーム同期検出部からの下りフレーム位相および前記距離測定フレーム送出要求抽出部からの距離測定フレーム送出要求情報を入力し、前記上り伝送路のドライバに出力する距離測定フレーム生成部とを備える上記（３）又は（４）のクロック情報転送システム。
【００１５】
（６）前記下り伝送路のレシーバおよび前記上り伝送路のドライバ間に接続された下りフレーム同期検出部と、上りフレーム生成部とを備える上記（３）又は（４）のクロック情報転送システム。
【００１６】
【発明の実施の形態】
以下、本発明によるクロック情報転送システムの好適実施形態の構成および動作を、添付図面を参照して詳細に説明する。
【００１７】
先ず、図１は、本発明によるクロック情報転送システムの第１実施形態のシステム構成図を示す。このクロック情報転送システム１００Ａは、交換機局側１１０ＡおよびＬＴ側１２０Ａより構成される。交換機局側１１０Ａは、レシーバ１１１、距離測定部１１２、下り送信位相制御部１１３、４００Ｈｚ位相情報生成部１１４、多重部１１５およびドライバ１１６を含んでいる。一方、ＬＴ側１２０Ａは、ドライバ１２１、距離測定フレーム生成部１２２、距離測定フレーム送出要求抽出部１２３、下りフレーム同期検出部１２４、レシーバ１２５、伝送路クロック抽出部１２６、４００Ｈｚ情報抽出部１２７、距離情報抽出部１２８および４００Ｈｚ位相制御部１２９を含んでいる。
【００１８】
交換機局側１１０Ａにおいて、入力４００Ｈｚクロックが４００Ｈｚ位相情報生成部１１４に入力され、４００Ｈｚ位相情報を多重部１１５へ出力する。下り送信位相制御部１１３は、下り伝送路フレームの送信位相を決定するものであり、多重部１１５および距離測定部１１２に接続される。多重部１１５は、下り伝送路フレームの送信位相情報に基づき同期フレームビットの挿入と、ＬＴ側１２０Ａに対する距離測定フレーム送出要求情報、４００Ｈｚ位相情報および距離情報を多重し、下り伝送路出力用ドライバ１１６に出力する。一方、上り伝送路を介して受信した信号は、レシーバ１１１にて復調され、距離測定部１１２に入力される。距離測定部１１２は、下り送信位相情報の受信から上りレシーバ１１１からの上り伝送路受信信号の到着時刻を算出し、距離情報を生成する。
【００１９】
一方、ＬＴ側１２０Ａは、下り伝送路を介して受信した信号をレシーバ１２５にて復調する。そして、伝送路抽出クロック部１２６、４００Ｈｚ情報抽出部１２７、距離情報抽出部１２８、下りフレーム同期検出部１２４および距離測定フレーム送出要求抽出部１２３に接続される。伝送路抽出クロック部１２６、４００Ｈｚ情報抽出部１２７および距離情報抽出部１２８にて各々抽出された伝送路クロック、４００Ｈｚ位相情報および距離情報は、４００Ｈｚ位相制御部１２９に入力され、出力４００Ｈｚクロックを生成する。
【００２０】
下りフレーム同期検出部１２４にて検出された下りフレーム位相および距離測定フレーム送出要求抽出部１２３にて検出された距離測定フレーム送出要求情報は、距離測定フレーム生成部１２２に入力される。この距離測定フレーム生成部１２２にて生成された距離測定フレームは、ドライバ１２１に入力され、上り伝送路に出力される。
【００２１】
次に、図１に示すクロック情報転送システム１００Ａの動作を説明する。交換機局側１１０Ａは、入力４００Ｈｚクロックから４００Ｈｚ位相情報生成部１１４に入力され、４００Ｈｚ位相情報を出力する。下り送信位相制御部１１３にて生成された下り伝送路フレームの送信位相情報は、多重部１１５および距離測定部１１２に入力される。この下り伝送路フレーム送信位相情報は、交換機局側１１０Ａにおける絶対時刻１となる。多重部１１５では、下り伝送路フレームの送信位相情報に基づき同期フレームビットの挿入と、ＬＴ側１２０Ａに対する距離測定フレーム送出要求情報、４００Ｈｚ位相情報および距離測定部１１２からの距離情報を多重化する。そして、下り伝送路出力用ドライバ１１６にて変調され、下り伝送路を介してＬＴ側１２０Ａに出力する。このとき、距離情報は、距離測定前であるため、デフォルト値（例えば零）となっている。
【００２２】
ＬＴ側１２０Ａは、下り伝送路を介して受信した信号をレシーバ１２５にて復調する。そして、伝送路クロック抽出部１２６、４００Ｈｚ情報抽出部１２７、下りフレーム同期検出部１２４、距離測定フレーム送出要求抽出部１２３および距離情報抽出部１２８にて、それぞれ伝送路クロック、４００Ｈｚ位相情報、下りフレーム位相、距離測定フレーム送出要求情報および距離情報が検出される。距離測定フレーム送出要求があった場合には、ＬＴ側１２０Ａは検出した下り伝送路フレーム位相を絶対時刻２とし、距離測定フレームをドライバ１２１にて変調し、上り伝送路を介して交換機局側１１０Ａに送出する。
【００２３】
交換機局側１１０Ａでは、レシーバ１２５にて復調された距離測定フレームが距離測定部１１２にて検出されるまでの時間を絶対時刻１と比較する。この比較結果である差分の時間から距離情報を算出することができる。ここで注意すべき点は、伝送路は上り下りの往復となるため、時間差は実際の距離の２倍となることである。ここで得られた距離情報は、ＬＴ側１２０Ａに転送され、ＬＴ側１２０Ａでは、伝送路クロック、４００Ｈｚ位相情報および距離情報が４００Ｈｚ位相制御部１２９に入力される。４００Ｈｚ位相制御部１２９では、距離情報から絶対時刻１と絶対時刻２の差分が分かるため、４００Ｈｚ位相情報に距離情報分の補正を加えることで、交換機局側１１０Ａの４００Ｈｚクロック位相と同じ位相の４００Ｈｚクロックを生成することができる。
【００２４】
次に、図２は、本発明によるクロック情報転送システムの第２実施形態のシステム構成図である。このクロック情報転送システム１００Ｂの構成要素のうち、上述したクロック情報転送システム１００Ａの構成要素に対応する構成要素には、説明の便宜上、同様の参照符号を使用する。このクロック情報転送システム１００Ｂは、交換機局側１１０ＢおよびＬＴ側１２０Ｂにより構成される。交換機局側１１０Ｂは、レシーバ１１１、上りフレーム同期検出部１１７、距離測定部１１２、下り送信位相制御部１１３、４００Ｈｚ位相情報生成部１１４、多重部１１５およびドライバ１１６を含んでいる。一方、ＬＴ側１２０Ｂは、ドライバ１２１、上りフレーム生成部１３０、下りフレーム同期検出部１２４、レシーバ１２５、伝送路クロック抽出部１２６、４００Ｈｚ情報抽出部１２７、距離情報抽出部１２８および４００Ｈｚ位相制御部１２９を含んでいる。
【００２５】
図２に示すクロック情報転送システム１００Ｂでは、距離測定フレームを使用せず、上り伝送フレームを距離測定フレームと兼用できることを特徴とする。これにより、図１の距離測定フレーム送出要求抽出部１２３を削除することができる。
【００２６】
次に、図３は、本発明によるクロック情報転送システムの第３実施形態のシステム構成図である。このクロック情報転送システム２００は、ＣＴ／ＲＴ方式でのＩＳＤＮ回線に、上述した図１又は図２に示す技術を適用する基本構成図である。交換機２１０、１対のＬＴ（伝送路終端装置）２２０Ａ、２２０Ｂ、ＳＬＴ２３０、ＤＣＳ２４０および３台のＤＳＵ２５０Ａ〜２５０Ｃにより構成される。これらＬＴ２２０Ａおよび２２０Ｂの伝送路の遅延時間差によるクロック位相を位相制御部および距離測定部を設けることにより一致させる。
【００２７】
以上、本発明によるクロック情報転送システムの好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。例えば、クロックは必ずしも４００Ｈｚである必要はなく、他の周波数のクロックにも適用可能である。
【００２８】
【発明の効果】
以上の説明から理解される如く、本発明のクロック情報転送システムによると、次の如き実用上の顕著な効果が得られる。第１に、設備投資および保守コストが削減可能である。その理由は、異なるＬＴ間でのＴＣＭ切替タイミング情報（４００Ｈｚクロック）の分配を伝送路とは別の配線をする必要がなくなるからである。
【００２９】
第２に、線路設計が容易となる。その理由は、異なるＬＴ間でのＴＣＭ切替タイミング情報（４００Ｈｚクロック）が同一位相となるため、ＴＣＭ−ＩＳＤＮ回線での干渉を考慮する必要がなくなるからである。
【図面の簡単な説明】
【図１】本発明によるクロック情報転送システムの第１実施形態のシステム構成図である。
【図２】本発明によるクロック情報転送システムの第２実施形態のシステム構成図である。
【図３】本発明によるクロック情報転送システムの第３実施形態であるＣＴ／ＲＴ方式でのＩＳＤＮ回線でのシステム構成図である。
【図４】ＰＤＳ方式を使用するＦＴＴＣ形態での一般的なＩＳＤＮ回線システム構成図である。
【図５】図４に示すＩＳＤＮ回線システムの動作説明のための位相ダイヤグラムである。
【符号の説明】
１００Ａ、１００Ｂ　クロック情報転送システム
１１０Ａ、１１０Ｂ　交換機局側
１１１、１２５　　　レシーバ
１１２　　　　　　　距離測定部
１１３　　　　　　　下り送信位相制御部
１１４　　　　　　　クロック（４００Ｈｚ）位相情報生成部
１１５　　　　　　　多重部
１１６、１２１　　　ドライバ
１２０Ａ、１２０Ｂ　ＬＴ（伝送路終端装置）側
１２３　　　　　　　距離測定フレーム送出要求抽出部
１２４　　　　　　　下りフレーム同期検出部
１２６　　　　　　　伝送路クロック抽出部
１２７　　　　　　　クロック（４００Ｈｚ）情報抽出部
１２８　　　　　　　距離情報抽出部
１２９　　　　　　　クロック（４００Ｈｚ）位相制御部
１３０　　　　　　　上りフレーム生成部
【図１】
2004088394.tif 000003
【図２】
2004088394.tif 000004
【図３】
2004088394.tif 000005
【図４】
2004088394.tif 000006
【図５】
2004088394.tif 000007